【手続補正書】
【提出日】平成19年2月26日(2007.2.26)
【手続補正１】
【補正対象書類名】明細書
【補正対象項目名】００３４
【補正方法】変更
【補正の内容】
【００３４】
番組作成装置１３は、サーバ１１またはパソコン１２から送信されてくるシーズ情報１３０と素材コンテンツ、並びにユーザの嗜好を表す嗜好情報に基づいて、作成番組（のコンテンツ）を作成する。また、番組作成装置１３は、放送局１４から供給されるEPG（Electronic Program Guide）などの放送番組情報と、嗜好情報とに基づいて、放送局１４から所定の放送番組を受信し、録画（記録）する。放送局１４は、放送番組と放送番組情報を作成し、番組作成装置１３に送信する。
【手続補正２】
【補正対象書類名】明細書
【補正対象項目名】００４８
【補正方法】変更
【補正の内容】
【００４８】
ユーザ関連情報作成部５２は、入力部５１からの入力情報と、番組作成部６１から供給される、いま出力部６２が出力している（ユーザに視聴されている）番組に関するキーワード(例えば、タイトル、ジャンル、出演者の名前など)とに基づいて、嗜好情報を作成する。
【手続補正３】
【補正対象書類名】明細書
【補正対象項目名】００５６
【補正方法】変更
【補正の内容】
【００５６】
番組編成部５６は、シーズ情報編集部５５からのシーズ情報１３０、放送番組取得部５７から供給される放送番組情報、およびユーザ関連情報記憶部５３からの嗜好情報に基づいて、番組を編成する。
【手続補正４】
【補正対象書類名】明細書
【補正対象項目名】００６１
【補正方法】変更
【補正の内容】
【００６１】
具体的には、素材コンテンツ取得部５９は、内蔵する記憶部（図示せず）に、所定の人物や物体の画像や音声のコンテンツを、マスターデータとして記憶している。素材コンテンツ取得部５９は、サーバ１１に記憶されているコンテンツのメタデータ(例えば、RSS（Rich Site Summary）情報など)を用いて、シーズ情報１３０のコンポーネント情報１３２（例えば、「髪の長い女性」、「４人乗りの自動車」など）に合致すると想定されるコンテンツを取得し、マスターデータと比較する。素材コンテンツ取得部５９は、マスターデータと合致する（合致度の高い）コンテンツを、素材コンテンツとして取得するとともに、そのコンテンツを、マスターデータとして蓄積する。
【手続補正５】
【補正対象書類名】明細書
【補正対象項目名】００７５
【補正方法】変更
【補正の内容】
【００７５】
ユーザは、出力部６２（図３）に表示される編成番組表１２０を見ながら、例えば、リモートコントローラ８４を操作し、所望の番組の番組名にカーソルなどを移動させることにより、視聴対象とする番組を指定する。
【手続補正６】
【補正対象書類名】明細書
【補正対象項目名】００８１
【補正方法】変更
【補正の内容】
【００８１】
コンポーネント情報１３２は、作成番組の背景のコンテンツ（例えば、背景の画像、BGMなどのコンテンツ）以外のコンポーネントの形状や音質などの情報である。モーション情報１３３は、各コンポーネントの表示位置と、各コンポーネントに対応する人物や物体のセリフの発声位置（発声時刻）の情報である。背景情報１３４は、コンポーネントである背景のコンテンツに関する情報である。撮影情報１３５は、作成番組の撮影方向、撮影時の明るさ、撮影時刻、および撮影場所などの撮影条件に関する情報である。
【手続補正７】
【補正対象書類名】明細書
【補正対象項目名】００８２
【補正方法】変更
【補正の内容】
【００８２】
素材コンテンツ取得部５９は、コンポーネント情報１３２の形状や音質などに合致するコンテンツのうち、撮影情報１３５の撮影条件に合致するコンテンツを、素材コンテンツとして取得する。また、素材コンテンツ取得部５９は、背景情報１３４に基づいて、背景のコンテンツを素材コンテンツとして取得する。
【手続補正８】
【補正対象書類名】明細書
【補正対象項目名】００９０
【補正方法】変更
【補正の内容】
【００９０】
第１３と第１４行目の「内容：ヘッドラインにて表示した各ニュースの詳細情報と、キャスタの人物情報を取得し、ニュースの詳細情報を表示しながらキャスタがニュースの詳細を読み上げる」は、ニュース情報と、キャスタである「佐藤由紀」の、人物の画像や音声などのコンテンツである人物情報とを素材コンテンツとして、ヘッドラインとして表示したニュースの詳細情報の一覧を表示しながら、「佐藤由紀」がニュースの詳細情報を読み上げるように、「ニュース読み上げ」のコンテンツが作成されることを表している。
【手続補正９】
【補正対象書類名】明細書
【補正対象項目名】００９３
【補正方法】変更
【補正の内容】
【００９３】
第１９行目の「天気予報」は、第１９行目以降が「天気予報」の構成を表すことを表し、第２０行目の「長さ：40秒」は、「天気予報」の時間が40秒であることを表している。第２１乃至２２行目の「内容：天気予報のWebサイトより、ユーザ居住地域の天気予報、温度、および降水確率を取得して表示し、キャスタが読み上げる」は、サーバ１１に記憶されている、天気予報のWebサイトで公開される、ユーザ居住地域の天気予報、湿度、および降水確率から構成される天気予報を表すコンテンツからなる天気予報情報と、「佐藤由紀」の人物情報とを素材コンテンツとして、天気予報を表示しながら、天気予報を「佐藤由紀」が読み上げるように、「天気予報」のコンテンツが作成されることを表している。
【手続補正１０】
【補正対象書類名】明細書
【補正対象項目名】００９７
【補正方法】変更
【補正の内容】
【００９７】
まず最初に、ユーザが、出力部６２に表示される編成番組表１２０（図４）を見ながら、リモートコントローラ８４などを操作し、視聴対象とする番組を指定する場合、入力部５１は、その操作に対応する操作データを入力情報として、ユーザ関連情報作成部５２に供給する。ユーザ関連情報作成部５２は、ユーザ関連情報作成部５２からの入力情報と、番組作成部６１から供給される視聴対象とする番組のキーワードとに基づいて、嗜好情報を作成し、嗜好情報記憶部１０１に記憶する。
【手続補正１１】
【補正対象書類名】明細書
【補正対象項目名】０１１６
【補正方法】変更
【補正の内容】
【０１１６】
第１０乃至第１３行目の「場所：XXX（任意の文字）」、「時刻：XXX」、「アクション：XXX」、「セリフ：XXX」は、それぞれ、「シーン１」の場所、時刻、アクション、セリフを表している。
【手続補正１２】
【補正対象書類名】明細書
【補正対象項目名】０１１８
【補正方法】変更
【補正の内容】
【０１１８】
第１６行目の「シーン２」は、第１６行目以降が「シーン２」の構成が記述されることを表しており、第１６行目以降も、シーン１の場合と同様に、「シーン２」の構成が記述される。
【手続補正１３】
【補正対象書類名】明細書
【補正対象項目名】０１３２
【補正方法】変更
【補正の内容】
【０１３２】
第１６乃至第１８行目の「内容：音楽のWebサイトより、視聴回数の多い順に３０曲を取得し、視聴回数の多い順に順位を付与して、順位の高い順に１０曲ずつランキングとして表示し、司会者が解説する」は、サーバ１１に記憶されている、音楽のWebサイトで公開される楽曲に関連する情報のコンテンツである音楽情報１６１と、その楽曲が視聴された回数を表す情報のコンテンツである視聴情報１６２とを、素材コンテンツとして取得して、視聴回数の多い順に１０曲ずつ、曲名やアーティスト名をランキングとして表示し、そのランキングを司会者が解説するように、「ランキングコーナ」のコンテンツを作成することを表している。
【手続補正１４】
【補正対象書類名】明細書
【補正対象項目名】０１４１
【補正方法】変更
【補正の内容】
【０１４１】
番組作成部６１は、タイムスケジュール情報１３１（図１１）と人物情報１５２に基づいてCG処理を行い、音楽ランキング情報１６３に対応する曲名やアーティスト名を、順位の高い順に１０曲ずつランキングとして読み上げる司会者のコンテンツを、司会者コンテンツとして作成する。
【手続補正１５】
【補正対象書類名】明細書
【補正対象項目名】０１４２
【補正方法】変更
【補正の内容】
【０１４２】
番組作成部６１は、音楽ランキング情報１６３に基づいて、音楽ランキング情報１６３に対応する曲名やアーティスト名を、順位の高い順に１０曲ずつランキングとして表示させるためのコンテンツを、ランキングコンテンツとして作成する。
【手続補正１６】
【補正対象書類名】明細書
【補正対象項目名】０１４４
【補正方法】変更
【補正の内容】
【０１４４】
その結果、図１２に示すように、出力部６２に出力される番組「最新音楽チャートトップ30」では、音楽ランキング情報１６３に対応する曲名やアーティスト名が順位の高い順に１０曲ずつランキングとして表示され、そのランキングを司会者が解説する。
【手続補正１７】
【補正対象書類名】明細書
【補正対象項目名】０１７９
【補正方法】変更
【補正の内容】
【０１７９】
さらに、カメラ８１から、出力部６２以外の位置を見ているユーザの目の画像の画像データが供給される場合、視聴対象のドラマ番組に関するキーワードに対する嗜好度を下げるようにしてもよい。
【手続補正１８】
【補正対象書類名】明細書
【補正対象項目名】０２３２
【補正方法】変更
【補正の内容】
【０２３２】
ステップＳ１１３において、素材コンテンツ取得部５９は、シーズ情報１３０のコンポーネント情報１３２とユーザ関連情報とに基づいて、商品情報１７１以外のコンポーネントであるその他の情報１５４を、サーバ１１から素材コンテンツとして取得し、番組作成部６１に供給して、ステップＳ１１４に進む。
【手続補正１９】
【補正対象書類名】明細書
【補正対象項目名】０２３３
【補正方法】変更
【補正の内容】
【０２３３】
ステップＳ１１４において、番組作成部６１は、シーズ情報１３０、並びにステップＳ１１１乃至Ｓ１１３で素材コンテンツとして供給される商品情報１７１およびその他の情報１７２に基づいて、ショッピング番組を作成し、処理を終了する。
【手続補正２０】
【補正対象書類名】明細書
【補正対象項目名】０２４６
【補正方法】変更
【補正の内容】
【０２４６】
第７と第８行目の「内容：ユーザがＡランクの武将に勝利したときのゲーム情報を取得し、表示する」は、パソコン１２の記録部３９に記録されている、ゲーム「三国」のコンテンツのうち、ユーザが嗜好し、かつユーザの操作するキャラクタが、強さがＡランクの武将に勝利したときのゲーム情報２５０を素材コンテンツとし、その素材コンテンツに対応する画像や音声を「シーン１」として出力することを表している。
【手続補正２１】
【補正対象書類名】明細書
【補正対象項目名】０２４７
【補正方法】変更
【補正の内容】
【０２４７】
第９行目の「シーン２」は、第９行目以降が「シーン２」の構成を表すことを表し、第１０行目の「長さ：３分」は、「シーン２」の時間が３分であることを表している。第１１と第１２行目の「内容：ユーザがＢランクの武将に勝利したときのゲーム情報を取得し、表示する」は、パソコン１２の記録部３９に記録されている、ゲーム「三国」のコンテンツのうち、ユーザが嗜好し、かつユーザの操作するキャラクタが、強さがＢランクの武将に勝利したときのゲーム情報２５０を素材コンテンツとし、その素材コンテンツに対応する画像や音声を「シーン２」として出力することを表している。
【手続補正２２】
【補正対象書類名】明細書
【補正対象項目名】０２５７
【補正方法】変更
【補正の内容】
【０２５７】
ステップＳ１６４において、ユーザにより視聴対象とするゲーム番組が指定されていないと判定された場合、ゲーム番組が指定されるまで待機する。
【手続補正２３】
【補正対象書類名】明細書
【補正対象項目名】０２５９
【補正方法】変更
【補正の内容】
【０２５９】
ステップＳ１６５において、素材コンテンツ取得部２３２は、ユーザ関連情報記憶部５３からのユーザ関連情報および番組作成部２３３からのシーズ情報１３０に基づいて、パソコン１２の記録部３９に記録されているゲーム情報２５０を、素材コンテンツとして取得し、番組作成部２３３に供給して、ステップＳ１６６に進む。
【手続補正２４】
【補正対象書類名】明細書
【補正対象項目名】０２６９
【補正方法】変更
【補正の内容】
【０２６９】
この場合、シーズ情報１３０のタイムスケジュール情報１３１として、出力対象とする楽曲のジャンルの構成が記述されており、素材コンテンツ取得部５９は、タイムスケジュール情報１３１と嗜好情報に基づいて、タイムスケジュール情報１３１に記述されるジャンルの楽曲のうち、ユーザの嗜好する楽曲のコンテンツを、素材コンテンツとして取得する。そして、番組作成部６１は、タイムスケジュール情報１３１にしたがって、素材コンテンツに対応する楽曲を順に出力することにより、音楽番組を出力する。これにより、例えば、センスの良いＤＪ（Disk Jockey）などが作成したシーズ情報１３０に基づいて、ユーザの嗜好する楽曲を、センスの良い並びで出力する音楽番組を作成することができる。
【手続補正２５】
【補正対象書類名】明細書
【補正対象項目名】０２７２
【補正方法】変更
【補正の内容】
【０２７２】
以上のように、図３の番組作成装置１３では、嗜好情報、素材コンテンツ、および作成番組におけるコンポーネントの動きを表すタイムスケジュール情報１３１を含むシーズ情報１３０に基づいて、作成番組を作成するようにしたので、ユーザが嗜好する番組を作成することができる。
【手続補正２６】
【補正対象書類名】明細書
【補正対象項目名】０２７５
【補正方法】変更
【補正の内容】
【０２７５】
【図１】本発明を適用した番組作成システムの構成例を示すブロック図である。
【図２】図１の番組作成装置のハードウェア構成例を示すブロック図である。
【図３】図２の番組作成装置の機能的構成例を示すブロック図である。
【図４】編成番組表の例を示す図である。
【図５】シーズ情報の例を示す図である。
【図６】ニュース番組のタイムスケジュール情報の例を示す図である。
【図７】ニュース番組の作成方法について説明する図である。
【図８】ニュース番組について説明する図である。
【図９】ドラマ番組のタイムスケジュール情報の例を示す図である。
【図１０】ドラマ番組について説明する図である。
【図１１】音楽番組のタイムスケジュール情報の例を示す図である。
【図１２】音楽番組について説明する図である。
【図１３】ショッピング番組のタイムスケジュール情報の例を示す図である。
【図１４】ショッピング番組について説明する図である。
【図１５】嗜好情報について説明する図である。
【図１６】嗜好情報作成処理について説明するフローチャートである。
【図１７】キャラクタ情報記憶処理について説明するフローチャートである。
【図１８】番組作成装置による一般番組作成処理について説明するフローチャートである。
【図１９】ニュース番組作成処理について説明するフローチャートである。
【図２０】ドラマ番組作成処理について説明するフローチャートである。
【図２１】音楽番組作成処理について説明するフローチャートである。
【図２２】ショッピング番組作成処理について説明するフローチャートである。
【図２３】図１の番組作成装置の他の機能的構成例を示すブロック図である。
【図２４】ゲーム番組のタイムスケジュール情報の例を示す図である。
【図２５】ゲーム番組について説明する図である。
【図２６】ゲーム番組作成処理について説明するフローチャートである。
【手続補正２７】
【補正対象書類名】図面
【補正対象項目名】図１１
【補正方法】変更
【補正の内容】
【図１１】
2006352555.tif 000001